(57)【要約】【課題】本体より着脱可能な電池を使用する電子機器において、電池を正規以外の方向で装着しようとした場合に、使用者に対し警告を発することで電子機器の破損を防ぐ。【解決手段】本体より着脱可能な電池を使用する電子機器において、電池を収納する電池室、電池の誤挿入を検出する検出手段、及び前記電子機器の使用者に対し警告を行う警告手段とを備え、使用者が電池を誤った方向で装着しようとした場合に前記検出手段により誤挿入の検出を行い、前記警告手段により使用者に対し警告を発する。また、その際の電源として電子機器内に備えた時計用電池を使用し警告を行う。【選択図】　　　　図１
2004014153.tif 000002
【特許請求の範囲】
【請求項１】
本体より着脱可能な電池を使用する電子機器において、電池を収納する電池室、電池の誤挿入を検出する検出手段、及び前記電子機器の使用者に対し警告を行う警告手段とを備え、使用者が電池を誤った方向で装着しようとした場合に前記検出手段により誤挿入の検出を行い、前記警告手段により使用者に対し警告を発することを特長とする電子機器。
【請求項２】
請求項１に記載の電子機器において、請求項１に記載の警告手段に用いる電源として電子機器本体内に備えた時計用電池を使用することを特長とした電子機器。
【発明の詳細な説明】
【０００１】
【発明の属する技術分野】
本発明は本体から着脱可能な電池を使用する電子機器に関し、より具体的には撮像素子によって撮影された画像の画像信号をデジタル画像信号へ変換し、メモリーカード、磁気テープ等の記録メディアに記録するデジタルカメラやデジタルビデオカメラに関する。
【０００２】
【従来の技術】
近年、撮像素子により撮影された画像の画像信号をデジタル画像信号へ変換し記録媒体へ記録するデジタルカメラやデジタルビデオカメラにおいてはカメラ本体を駆動する電源としては本体内に着脱可能な充電式の二次電池が用いられている場合が多く、また二次電池は複数のセルに保護回路などを内蔵させパッケージ化したものが使用される場合が多い。
【０００３】
しかしながら、上記二次電池はカメラ本体側と接触し電源の伝達経路となる切片の配置により、上記二次電池をカメラ本体へ装着する場合、ただ一方向のみで装着が可能となるように構成されている場合が多い。
【０００４】
これは、電源の伝達経路となる切片が本体に確実に接触しない状態で上記電池がカメラ本体に装着されてしまうと、カメラ使用者が電池を装着したにも関わらず、カメラが作動しないと為に故障したと判断してしまう可能性があるばかりではなく、電気的にカメラ本体を破損させてしまう可能性がある為である。
【０００５】
上記の理由により、従来のデジタルカメラやデジタルビデオカメラにおいては着脱可能な充電式の二次電池を正規の方向で挿入するように使用者を促す為に、カメラ本体の前記二次電池挿入位置付近や電池蓋の裏面、二次電池そのものに指標を設け、また誤った方向で前記二次電池が装着されることの無いように、一方向のみで挿入可能となるよう電池室、及び二次電池の形状を特殊な形状としている。
【０００６】
ここで図５は従来のデジタルカメラやデジタルビデオカメラでの電池挿入付近を示したものであり、５−１はカメラ本体、５−２は本体から着脱可能な二次電池、５−３はカメラ本体内に設けられた電池室、５−４は二次電池に記された指標、５−５はカメラ本体の二次電池挿入位置付近に設けられた指標である。
【０００７】
また５−６は電池を本体内に収納する為の電池蓋であり、５−７は５−６の裏面に示された指標である。
【０００８】
カメラ使用者は二次電池５−２をカメラ本体５−１に装着しようとしたとき、電池蓋裏面に示された指標５−７に従いカメラ本体に設けられた指標５−５、及び二次電池に示された指標５−４とが合わさる向きで装着を行う。
【０００９】
しかし、使用者がよく指標を確認出来ずに二次電池５−２を装着しようとした場合は、つまり誤った向きで挿入しようとした場合は、二次電池５−２、及び電池室５−３が互いにカマボコ型の形状をしており、また一部に突起５−８、と凹み５−９を設けている為に誤った方向では挿入できない構成としている。
【００１０】
【発明が解決しようとする課題】
ところが、前記の正規の方向を促す指標はカメラ本体のスペース上の問題により使用者にとっては決して目立つものではないことが多く、また前記のように電池室、二次電池の双方が一方向のみでしか挿入できない特殊な形状となっていても、使用者の思い込みにより誤った方向で無理に挿入してしまい、結果カメラ本体を破損させてしまうという問題があった。
【００１１】
【課題を解決するための手段】
上記のような問題を鑑みて本発明の請求項１に記載の発明によれば、本体より着脱可能な電池を使用する電子機器において、電池を収納する電池室、電池の誤挿入を検出する検出手段、及び前記電子機器の使用者に対し警告を行う警告手段とを備え、使用者が電池を誤った方向で装着しようとした場合に前記検出手段により誤挿入の検出を行い、前記警告手段により使用者に対し警告を発することを特長とする電子機器を提供する。
【００１２】
また本発明の請求項２に記載の発明によれば、請求項１に記載の電子機器において、請求項１に記載の警告手段に用いる電源として電子機器本体内に備えた時計用電池を使用することを特長としたので、前記警告手段用のみとして別途電源を必要としない電子機器を提供する。
【００１３】
【発明の実施の形態】
以下、図を用いて本発明の実施の形態について説明する。図１は本発明の一つの実施形態としてのデジタルカメラの正面図を示し、図２は図１の形態において充電式電池が正規の方向にて装着された場合の電池室内の断面図を示し、図３は図１の形態において充電式電池が正規の方向では無い方向で誤挿入された場合の電池室内の断面図を示す。また、図４は本発明のもう一つの実施形態としてのデジタルカメラの正面図を示す。
【００１４】
図１において、デジタルカメラ１−１はレンズ鏡筒１−２、電池室１−３、警告用電池１−４、及び図示していない液晶表示部、記録メディア収納部、ストロボ、撮像素子やビューファインダー等により構成されている。
【００１５】
図２の断面図に示すように電池室１−３の周辺は本体への電源の伝達経路となる電池切片２−１、逆挿入防止用の凸形状部２−２、逆挿入検出用スイッチ２−３、警告時に電子音を発する発音体２−４等で構成されており、その空間へ充電式二次電池２−５が挿入される。
【００１６】
また図２に示すように充電式二次電池２−５が正規の方向で装着されると、逆挿入検出スイッチ２−３がＯＦＦ状態のままである為、発音体２−４からは警告音は発せられない。ところが図３に示すように充電式二次電池２−５が正規の方向では無い方向で誤挿入されると、逆挿入検出用スイッチ２−３がＯＮ状態となり、警告用電池１−４からの電源供給を受けて発音体２−４より警告音を発生させる。
【００１７】
図４は図１の構成において警告用電池１−４を時計用電池４−１で代用したものであり、時計用電池４−１はデジタルカメラ１−１本体内の時計を駆動させる為に使用するもので、これにより充電式二次電池２−８が装着されていない状態でもデジタルカメラ１−１本体内の時計が停止することが無い為、撮影された日時を正確に記録することができる。この実施例によれば警告用電源として既存の電池を使用するため、別途電源を必要としないので低コストかつ省スペースで可能となる。
【００１８】
本実施例では、警告手段として電子音を発する発音体を用いたが、発光ダイオードなど光を放つものでもよい。
【００１９】
【発明の効果】
以上のように、本発明の請求項１に記載の発明によれば、本体より着脱可能な電池を使用する電子機器において、電池を収納する電池室、電池の誤挿入を検出する検出手段、及び前記電子機器の使用者に対し警告を行う警告手段とを備え、使用者が電池を誤った方向で装着しようとした場合に前記検出手段により誤挿入の検出を行い、前記警告手段により使用者に対し警告を発するように制御する制御手段とを具備するので、使用者が誤って正規の方向ではない方向で電池を挿入しようとした場合でも、使用者が誤挿入を確実に認識が出来るので電子機器本体を破損させてしまう恐れが無くなる。
【００２０】
また本発明の請求項２に記載の発明によれば、請求項１に記載の電子機器において、請求項１に記載の警告手段に用いる電源として電子機器本体内に備えた時計用電池を使用することを特長としたので、前記警告手段用のみとして別途電源を必要としないので低コストかつ省スペースな電子機器を提供することが出来る。
【図面の簡単な説明】
【図１】本発明に係るデジタルカメラの一つの実施形態を示した全体図である。
【図２】本発明に係るデジタルカメラの一つの実施形態を示した電池室の断面図である。
【図３】本発明に係るデジタルカメラの一つの実施形態を示した電池室の断面図である。
【図４】本発明に係るデジタルカメラの一つの実施形態を示した全体図である。
【図５】従来技術の構成による電池室付近を示した図である。
【符号の説明】
１−１：デジタルカメラ
１−２：レンズ鏡筒
１−３：電池室
１−４：警告用電池
２−１：電池切片
２−２：逆挿入防止凸形状
２−３：逆挿入検出用ＳＷ
２−４：発音体
２−５：充電式電池
５−１：カメラ
５−２：本体から着脱可能な二次電池
５−３：電池室
５−４：指標
５−５：指標
５−６：電池蓋
５−７：指標
５−８：凸形状部
５−９：凹形状部
【図１】
2004014153.tif 000003
【図２】
2004014153.tif 000004
【図３】
2004014153.tif 000005
【図４】
2004014153.tif 000006
【図５】
2004014153.tif 000007